(57)【要約】【課題】取付パネルの底面や側面など仮固定が困難な部位へも容易に片手で装着でき、簡単に脱落することなく仮固定できる貫通体の固定構造を提供する。【解決手段】筐体の壁面パネル１に回転防止部２ａを有したＤカット型の取付孔２を設け、これと同じ断面をもつネジ部３をフランジ部６の片側面に設けて挿通してナット８の締結により固定し、他方側面にコネクタ部７を突設した貫通体の固定構造であって、ネジ部３の先端に延在して回転防止部２ａを有した取付孔２内に挿通するクリアランス幅及び回転可能な小径を有した回転用退壁溝４と、この回転用退壁溝４を介した先端にネジ部３と同じ断面形状を有して回転防止部３ａ、５ａをお互い異なる角度に回転させて配置した挿入部５とを一体に備え、取付孔２に挿入部５を差込んでネジ部３が当接する回転用退壁溝４の位置で回転させることで挿入部５とネジ部３との間に壁面パネル１が係止されて仮止め可能に設ける。【選択図】      図１
2005050555.tif 000002
【特許請求の範囲】
【請求項１】
板状のパネルに少なくとも１箇所以上の回転防止部を有する取付孔を設け、該取付孔に挿通して固定される、フランジ部を有する貫通体の固定構造において、
前記貫通体は、一部に平面部が延在し断面が前記取付孔に略等しい挿入部と、一部に平面部が延在し断面が前記取付孔に略等しいネジ部と、前記板状のパネルに設けられた取付孔の回転防止部が通過可能な構造とした回転用退壁溝とを有し、前記挿入部に延在する平面部の位置と前記ネジ部に延在する平面部の位置とは、貫通体の貫通面の中心に対し角度をもって設けられ、前記取付孔に挿入して固定されることを特徴とする貫通体の固定構造。
【請求項２】
前記取付孔と、前記挿入部の断面と、前記ネジ部の断面はそれぞれ略Ｄ型または略Ｉ型であることを特徴とする請求項１に記載の貫通体の固定構造。
【請求項３】
前記挿入部は前記ネジ部の先端近傍に設けられ、貫通体の貫通面の中心に対し、前記挿入部に延在する平面部の位置と前記ネジ部に延在する平面部の位置とがなす角度は略９０度であることを特徴とする請求項１または２に記載の貫通体の固定構造。
【請求項４】
前記貫通体は、前記取付孔に挿通し、ネジ部にナットを締結して固定することを特徴とする請求項１から３のいずれかに記載の貫通体の固定構造。
【請求項５】
板状のパネルに少なくとも１箇所以上の回転防止部を有する取付孔を設け、該取付孔に挿通して固定される、フランジ部を有する貫通体において、
前記取付孔と略同じ形状の断面を有し一部に平面部が延在する挿入部と、
前記取付孔と略同じ形状の断面を有し一部に平面部が延在するネジ部と、
前記板状のパネルに設けられた取付孔の回転防止部が通過可能とした回転用退壁溝とを有し、
前記挿入部に延在する平面部の位置と前記ネジ部に延在する平面部の位置とは、貫通体の貫通面の中心に対し角度をもって設けられたことを特徴とする貫通体。
【請求項６】
前記挿入部の断面と、前記ネジ部の断面とはそれぞれ略Ｄ型または略Ｉ型であることを特徴とする請求項５に記載の貫通体。
【請求項７】
前記挿入部は前記ネジ部の先端近傍に設けられ、貫通体の貫通面の中心に対し、前記挿入部に延在する平面部の位置と前記ネジ部に延在する平面部の位置とがなす角度は略９０度であることを特徴とする請求項５または６に記載の貫通体。
【請求項８】
前記貫通体は、前記取付孔に挿通し、ネジ部にナットを締結して固定することを特徴とする請求項５から７のいずれかに記載の貫通体。
【発明の詳細な説明】
【０００１】
【発明の属する技術分野】
本発明は貫通体の固定構造に係り、より詳細には、例えば、基地局に設置する通信機器、またはその他業務用或いは民生用の電子／電気機器などの筐体に、ケーブルなどを嵌入させるために筐体の壁面パネルに取付けるコネクタ、ターミナル、プラグなどの貫通体の固定構造に関する。
【０００２】
【従来の技術】
【特許文献１】
特開２００３−６６２７９号公報（第４頁、第２図）
【０００３】
従来、例えば、基地局に設置する通信機器、またはその他業務用或いは民生用の電子／電気機器などの筐体にケーブルなどを着脱可能にするためにコネクタ、ターミナル、プラグなどの貫通体を筐体の壁面パネルに、回転防止部を有した取付孔を設けて一定の方向に位置決めして取付ける構造（例えば、特許文献１参照）がよく知られている。図６は、このような回転防止部をコネクタに採用した従来の貫通体の固定構造の一実施形態を示す構成図である。
【０００４】
図６に示すように、従来の貫通体の固定構造の一実施形態は、筐体の外装を形成する壁面パネル１１に１箇所の回転防止部１２ａを有して開口したＤカット型の取付孔１２を設け、この取付孔１２と同じＤカット型の断面をもつネジ部１３をフランジ部１６の端面まで挿通して先端にナット１８を締結して固定するように設けている。ここで、フランジ部１８は、取付孔１２に係合して挿通しない大きさで円盤状に形成し、この片側面に取付孔１２内に挿通してナット１８で締結して固定するネジ部１３と、他方側面に壁面パネル１１（筐体）の表面に突設してケーブルなど（図示せず）を電気的に着脱可能にするコネクタ部（嵌合部）１７とを一体に設けている。
【０００５】
そして、この従来の貫通体の固定構造の一実施形態を用いて壁面パネル１１に取付ける場合、図６に示したように、筐体の外側（図６の下側）から壁面パネル１１に設けた取付孔１２にネジ部１３を差込み、内側（図６の上側）からナット１８を締結することで固定する。この際、取付孔１２とネジ部１３とは、回転防止部１２ａ、１３ａを有したＤカット型に形成しているため、ナット１８を締結する際にネジ部１３が同時に回転することなく、容易にコネクタ部１７の方向を所望の方向に位置決めして固定することができる。
【０００６】
このように従来の貫通体の固定構造は、筐体の壁面パネル１１に回転防止部１２ａを有した取付孔１２（図６ではＤカット型の取付孔）を設け、この取付孔１２に同じ断面形状をもつネジ部１３を挿通してナット１６を締結して固定するため、ナット１８の締結時にネジ部１３が同時に回転することを防止し、且つ、容易に装着方向を所望の方向に位置決めして固定していた。
【０００７】
【発明が解決しようとする課題】
しかしながら、従来の貫通体の固定構造では、図６に示したように、作業者（図示せず）が片手でネジ部１３を取付孔１２に挿通した状態を維持し、他方の手で内側からナット１８を締結する必要があるため、両手の届かないような部分への取付けには、別途冶具等を準備する必要があった。
また、従来の貫通体の固定構造では、特に、大型の筐体底面に壁面パネル１１の取付孔１２を設けた場合、２人がかりでこの底面の取付孔１２にネジ部１３を挿通した状態を維持するか、冶具等で仮固定する必要が避けられない状況であった。
本発明はこのような課題を解決し、両手の届かない部分への取付けでも容易に片手で装着でき、簡単に脱落することなく仮固定できる貫通体の固定構造を提供することを目的とする。
【０００８】
【課題を解決するための手段】
本発明は上述の課題を解決するために、板状のパネルに少なくとも１箇所以上の回転防止部を有する取付孔を設け、該取付孔に挿通して固定される、フランジ部を有する貫通体の固定構造であって、貫通体は、一部に平面部が延在し断面が取付孔に略等しい挿入部と、一部に平面部が延在し断面が取付孔に略等しいネジ部と、板状のパネルに設けられた取付孔の回転防止部が通過可能な構造とした回転用退壁溝とを有し、挿入部に延在する平面部の位置とネジ部に延在する平面部の位置とは、貫通体の貫通面の中心に対し角度をもって設けられ、取付孔に挿入して固定する。
【０００９】
ここで、取付孔と、挿入部の断面と、ネジ部の断面はそれぞれ略Ｄ型または略Ｉ型であることが好ましい。また、挿入部はネジ部の先端近傍に設けられ、貫通体の貫通面の中心に対し、挿入部に延在する平面部の位置とネジ部に延在する平面部の位置とがなす角度は略９０度であることが好ましい。また、貫通体は、取付孔に挿通し、ネジ部にナットを締結して固定することが好ましい。
【００１０】
また、本発明は上述の課題を解決するため、板状のパネルに少なくとも１箇所以上の回転防止部を有する取付孔を設け、該取付孔に挿通して固定される、フランジ部を有する貫通体であって、取付孔と略同じ形状の断面を有し一部に平面部が延在する挿入部と、取付孔と略同じ形状の断面を有し一部に平面部が延在するネジ部と、板状のパネルに設けられた取付孔の回転防止部が通過可能とした回転用退壁溝とを有し、挿入部に延在する平面部の位置とネジ部に延在する平面部の位置とは、貫通体の貫通面の中心に対し角度をもって設ける。
【００１１】
ここで、挿入部の断面と、ネジ部の断面とはそれぞれ略Ｄ型または略Ｉ型であることが好ましい。また、挿入部はネジ部の先端近傍に設けられ、貫通体の貫通面の中心に対し、挿入部に延在する平面部の位置とネジ部に延在する平面部の位置とがなす角度は略９０度であることが好ましい。また、貫通体は、取付孔に挿通し、ネジ部にナットを締結して固定することが好ましい。
【００１２】
【発明の実施の形態】
次に、添付図面を参照して本発明による貫通体の固定構造の実施の形態を詳細に説明する。図１は、本発明による貫通体の固定構造の一実施形態を示す構成図である。また、図２は、図１に示したＡ方向から見た状態を示す図である。また、図３は、図２に示した貫通体の固定構造の詳細な形状を示す断面図であり、図３（ａ）は図２に示したＢ−Ｂ線の断面を、図３（ｂ）は図２に示したＣ−Ｃ線の断面を、図３（ｃ）は図２に示したＤ−Ｄ線の断面を各々示している。この面は、貫通体の貫通面を示している。また、図４は、図１に示した貫通体の固定構造の仮止め動作を示す図であり、図４（ａ）は仮止め前の状態を、図４（ｂ）は仮止め途中の状態を、図４（ｃ）は仮止め後の状態を各々示している。また、図５は、図１に示した貫通体の固定構造の固定動作を示す図であり、図５（ａ）は固定前の状態を、図５（ｂ）は固定途中の状態を、図５（ｃ）は固定後の状態を各々示している。
【００１３】
図１に示すように、本発明による貫通体の固定構造の一実施形態は、図６に示した従来技術と同様に、基地局に設置する通信機器、またはその他業務用或いは民生用の電子／電気機器などの筐体にケーブルなど（図示せず）を着脱可能にするコネクタに採用したものであり、この筐体の外装を形成する壁面パネル１に１箇所の回転防止部２ａを有して開口するＤカット型の取付孔２を設け、この取付孔２と同じＤカット型の断面をもつネジ部３を設け、フランジ部６の端面まで挿通して先端にナット８を締結して固定する。また、フランジ部６は、取付孔２に挿通しない大きさで円盤状に形成し、片側面に取付孔２内に挿通してナット８を締結して固定するネジ部３と、他方側に壁面パネル１（筐体）の表面に突出してケーブルなど（図示せず）を着脱可能にするコネクタ部（嵌合部）７とを一体に設けている。このフランジ部６には、図２及び図３に示すように、ネジ部３下端の周囲に溝６ａを設け、例えば、屋外用の防水通信機器の筐体に用いる場合に、ゴムなどのパッキン部材（図示せず）を溝６ａに取付けて壁面パネル１との間に介在することで防水用に形成することも可能である。また、取付孔２とネジ部３とは、図１に示したように、回転防止部２ａ、３ａを１箇所設けたＤカット型に形成した実施例を説明したが、これに限定されるものではなく、例えば、平行に２箇所の回転防止部を設けたＩカット型などの回転防止形状に形成することも可能である。
【００１４】
ここで、図１に示したネジ部３は、図６に示した従来技術とは異なり、取付孔２に挿入する先端に延在して壁面パネル１に開口する回転防止部２ａを有した取付孔２内に挿通する挿入部５と、回転防止部２ａが通過可能な回転用退壁溝４と、この回転用退壁溝４の先端にネジ部３と同じＤカット型の断面形状を有して回転防止部３ａ、５ａをお互い異なる位置に回転させて配置した挿入部５とを一体に備えている。このネジ部３と挿入部５とは、図３（ａ）及び図３（ｃ）に示すように、回転防止部３ａ、５ａをお互いにほぼ９０度の角度（異なる角度）に回転させた位置に配置している。また、それら２つの間には、図３（ｂ）に示すように、小径の回転用退壁溝４が介在し、壁面パネル（板金、薄板）１の板厚が嵌入して回転するクリアランス幅Ｅ（図２参照）の長さに延在している。尚、図３（ｂ）に示した回転用退壁溝４の断面では、この断面直径がＤカット型の取付孔２（図１参照）内で回転可能な最小半径となるように形成している。
【００１５】
従って、本実施の形態では、取付孔２に挿入部５を少し差込んでネジ部３が当接する回転用退壁部４の位置で回転させることで、この挿入部５とネジ部３との間に壁面パネル１が係止されて仮止め可能な構造（図４参照）に形成している。即ち、本実施の形態では、図１に示したように、取付孔２に挿入するＤカットを回転防止及び脱落防止のために各々２箇所設け、このうち回転防止用のＤカットをネジ部３に１箇所、及び脱落防止用のＤカットを挿入部５に１箇所、合計２箇所を有するものである。上記構造のように、挿入部５をネジ部３の先端近傍に設けることで、壁面パネル１に仮固定部５を少し挿入した後、回転させて係止することで、仮止めすることができ取付けの作業性を改善し、特に、大形筐体の底面側に複数用いる場合には作業性が大幅に改善される。
【００１６】
次に、図４及び図５を参照して、本発明による貫通体の固定構造の一実施形態を用いて貫通体を壁面パネル１に取付ける動作を詳細に説明する。まず、図４（ａ）に示すように、挿入部５に取付けた配線９を壁面パネル１の取付孔２に挿通し、この挿通した配線９に予めナット８を通しておく。その後、壁面パネル１のＤカット型の取付孔２に、同じＤカット型の断面をもつ挿入部５を、図４（ｂ）に示すように、お互いの形状が合うように調整して嵌入する。この時、取付孔２は、挿入部５を完全に挿通した後、この挿入部５ａの回転防止部５のネジ部３先端に接する部位に当接して引っ掛かって停止する。この状態で壁面パネル１の取付孔２は、小径の回転用退壁溝４に位置しており、この回転用退壁溝４の位置で挿入部５及びネジ部３を回転させることが可能になる。そして、取付孔２内で回転用退壁溝４に沿って挿入部５及びネジ部３を徐々に回転（９０度以下の角度に回転）させると、図４（ｃ）に示すように、ネジ部３と挿入部５との間に壁面パネル１の取付孔２が引っ掛かり脱落不可能な状態に仮固定される。
【００１７】
一方、図４に示したように仮固定した後、ナット８により壁面パネル１に完全に固定する場合、まず、図５（ａ）に示すように、仮固定した取付孔２の回転用退壁溝４とともにネジ部３を徐々に回転（９０度の角度に回転）させる。これにより壁面パネル１のＤカット型の取付孔２と、同じＤカット型の断面をもつネジ部３との形状が合致し、図５（ｂ）に示すように、ネジ部３が取付孔２に嵌入して壁面パネル１にフランジ部６が係合する位置まで挿通する。その後、取付孔２に挿入されて引き込んだネジ部３に、図５（ｃ）に示すように、ナット８を締め付けることで壁面パネル１に完全に固定することができる。
【００１８】
このように本発明による貫通体の固定構造の一実施形態によると、図４に示したように、取付孔２に挿入部５を挿入して回転させることで容易に仮固定することができ、別途冶具等を準備する必要がなくなる。
また、本発明による貫通体の固定構造の一実施形態によると、前述したように壁面パネル１の取付孔２に一旦、仮固定できる構造のため、大型の筐体底面に壁面パネル１の取付孔２を設けた場合でも簡単に下方に脱落せず、挿通した状態で保持する必要もなく、１人で冶具等を用いず簡単に取付けることができ作業性が大幅に改善される。
【００１９】
以上、本発明による貫通体の固定構造の実施の形態を詳細に説明したが、本発明は前述した実施の形態に限定されるものではなく、その要旨を逸脱しない範囲で変更可能である。
例えば、ネジ部にナットを締結した実施例を詳細に説明したが、これに限定されるものではなく、ネジ部にナットを締結する際にワッシャ及び座金を更に介在させて締結することも可能である。
また、コネクタに採用した本発明による貫通体の固定構造の実施形態を詳細に説明したが、これに限定されるものではなく、例えば、ターミナル、プラグなどの接続体にも適用可能である。
【００２０】
【発明の効果】
このように本発明による貫通体の固定構造によれば、コネクタ等の貫通体を取付孔に容易に仮固定することができ、別途冶具等を準備する必要がなくなる。
【図面の簡単な説明】
【図１】本発明による貫通体の固定構造の一実施形態を示す構成図。
【図２】図１に示したＡ方向から見た状態を示す図。
【図３】図２に示した貫通体の固定構造の詳細な形状を示す断面図。
【図４】図１に示した貫通体の固定構造の仮止め動作を示す図。
【図５】図１に示した貫通体の固定構造の固定動作を示す図。
【図６】従来の貫通体の固定構造の一実施形態を示す構成図。
【符号の説明】
１    壁面パネル
２    取付穴
２ａ  回転防止部
３    ネジ部
３ａ  回転防止部
４    回転用退壁溝
５    挿入部
５ａ  回転防止部
６    フランジ部
７    コネクタ部
８    ナット
９    配線
【図１】
2005050555.tif 000003
【図２】
2005050555.tif 000004
【図３】
2005050555.tif 000005
【図４】
2005050555.tif 000006
【図５】
2005050555.tif 000007
【図６】
2005050555.tif 000008